(57)【特許請求の範囲】
【請求項１】
電気絶縁性の遮水体によって周囲と遮断された遮水構造物からの漏水を検知するとともに、漏水箇所を特定するための方法であって、
前記遮水構造物の内側エリアに内部側電流電極を設置するとともに、前記遮水構造物の外側エリアに外部側電流電極を設置し、かつこれら内部側電流電極と外部側電流電極とを定電圧発生装置に接続する準備手順と、
前記定電圧発生装置により前記内部側電流電極と外部側電流電極とに印加した状態下で、平面的に前記遮水構造物によって囲まれたほぼ全エリアを計測対象エリアとして少なくとも周囲複数点を含む電位計測点を設定し、これら電位計測点に挿入型電位センサーを設置して電位差測定を行う漏水検知手順と、
前記漏水検知手順によって漏水が検知されたならば、平面的に前記遮水構造物によって囲まれたほぼ全エリアを計測対象エリアとして少なくとも周囲複数点および略中央点を含み格子状に電位計測点を設定し、これら電位計測点に挿入型電位センサーを設置して電位差測定を行い、漏水発生箇所の絞り込みを行う１次的絞り込み手順と、
前記１次的絞り込み手順によって絞り込まれた漏水発生箇所を計測対象エリアとして格子状に電位計測点を設定し、これら電位計測点に挿入型電位センサーを設置して電位差測定を行い漏水発生箇所の絞り込みを行うとともに、所要の特定精度に達するまで、絞り込まれた漏水発生箇所を計測対象エリアとして格子状に電位計測点を設定し、これら電位計測点に挿入型電位センサーを設置して電位差測定を行い、漏水発生箇所の段階的絞り込みを行う段階的絞り込み手順と、
からなることを特徴とする遮水構造物における漏水検知・特定方法。
【請求項２】
前記漏水検知手順と、１次的絞り込み手順とを同時に行うようにする請求項１記載の遮水構造物における漏水検知・特定方法。
【請求項３】
電気絶縁性の遮水体によって周囲と遮断された遮水構造物からの漏水を検知するとともに、漏水箇所を特定するための方法であって、
前記遮水構造物の内側エリアに内部側電流電極を設置するとともに、前記遮水構造物の外側エリアに外部側電流電極を設置し、かつこれら内部側電流電極と外部側電流電極とを定電圧発生装置に接続する準備手順と、
前記定電圧発生装置により前記内部側電流電極と外部側電流電極とに印加した状態下で、平面的に前記遮水構造物によって囲まれたほぼ全エリアを計測対象エリアとして少なくとも周囲複数点を含む電位計測点を設定し、これら電位計測点に挿入型電位センサーを設置して電位測定を行う漏水検知手順と、
前記漏水検知手順によって漏水が検知されたならば、少なくとも１方向の計測ラインに沿って、順次隣接する前側電位差計測点と後側電位差計測点との電位差測定を行い、前記計測ライン上において電位の正負が反転する電位変曲点を探索する漏水箇所の１次的絞り込み手順と、
前記１次的絞り込み手順によって絞り込まれた電位反極点を含む区間を計測対象として前記計測ラインと同方向の計測ラインに沿って順次、隣接する前側電位差計測点と後側電位差計測点との電位差測定を行い、計測ライン上において電位変曲点の絞り込みを行うとともに、所要の特定精度に達するまで、絞り込まれた電位反極点を含む区間を計測対象として前記計測ラインと同方向の計測ラインに沿って順次、隣接する前側電位差計測点と後側電位差計測点との電位差測定を行い、計測ライン上において電位変曲点の段階的絞り込みを行う段階的絞り込み手順と、
所要の特定精度まで計測ライン方向の電位変曲点が絞り込まれたならば、この電位反極点を通りかつ前記計測ラインに直交する方向の第２計測ラインに沿って順次、隣接する前側電位差計測点と後側電位差計測点との電位差測定を行い、前記第２計測ラインにおいて電位変曲点を探索し、最大電位点を見つける漏水発生箇所の最終絞り込み手順と、
からなることを特徴とする遮水構造物における漏水検知・特定方法。
【請求項４】
前記定電圧発生装置による印加は、直流電流または交替直流電流により行う請求項１〜３いずれかに記載の遮水構造物における漏水検知・特定方法。
【請求項５】
前記定電圧発生装置による印加は、給電と非給電とを繰り返すオンオフパターンで発生させ、前記給電時に計測した電位差のピーク値と、非給電時に計測した電位差の定常値との差をもって、計測電位差とする請求項１〜４いずれかに記載の遮水構造物からの漏水検知・特定方法。
【請求項６】
前記挿入型電位センサーは、棒状体の先端部に電位センサーを備えるとともに、先端を槍状に加工し、廃棄物中に貫入によって設置した電位センサーまたは保護管を廃棄物中に挿入設置し、この保護管内に落し込みによって設置した電位センサーである請求項１〜５いずれかに記載の遮水構造物からの漏水検知・特定方法。
【請求項７】
直流電流または交替直流電流を発生するとともに、給電と非給電とを繰り返すオンオフパターンで定電圧を発生させ得る定電圧発生装置と、廃棄物中の任意の位置に設置し得る挿入型電位センサーと、この挿入型電位センサーに接続され、電位センサー制御を行うとともに、電位計測信号の記憶部を備える電位計測装置と、前記電位計測装置の記憶部から電位計測信号を取り出し、解析および画像処理を行うコンピューターと、からなることを特徴とする漏水検知・特定装置。
【発明の詳細な説明】
【０００１】
【発明の属する技術分野】
本発明は、各種廃棄物の処分場となる遮水構造物からの漏水検知および漏水箇所の特定を行うための方法およびそのための装置に関する。
【０００２】
【従来の技術】
従来より、廃棄物を埋め立て処理するために、地盤を掘削し合成樹脂などによる不透水膜やコンクリート等の遮水体によって周囲と遮断した遮水構造物が造築されている。しかし、これら遮水構造物も経年劣化や何らかの原因により遮水体に損傷が生じて廃棄物中に含まれる有害物質、たとえば鉛、水銀、カドニウム、などの重金属類等が地下水の移動に伴って近隣地域に拡散するなどの問題があった。
【０００３】
これら有害物質の漏出を防止するには、遮水構造物の建設時に予め漏水の検知および漏水箇所の特定を行い得る漏水管理システムを設けておくことが有効となる。たとえば、特開平１１−３７８８６号公報では、図１０に示されるように、遮水体５０によって囲まれた内部に内部側電流電極５１を設置するとともに、遮水体５０の外部に外部側電流電極５２を設置し、かつ遮水体５０近接位置に予め格子状に電位測定センサー５３，５３…を敷設しておき、廃棄物による埋め立て後の任意時に前記内部側電流電極５１と外部側電流電極５２との間に定電圧を印加した状態で、前記各電位測定センサー５３，５３…によって電位差を測定し、遮水体５０からの漏水の有無や漏水箇所を特定する漏水管理システムが開示されている。この漏水管理システムは、前記遮水体５０が電気絶縁性であることを利用するもので、漏水が無ければ電流が流れないため顕著な電位差が生ぜず、少量でも漏水が生じると導電体である水を通じて電流が流れ、その付近の電位が変化することに着目した方法である。現状の漏水管理システムはそのほとんどがこの測定原理に基づくものである。
【０００４】
なお、予め遮水体近傍部位に電位測定センサーを格子状に埋設しておく方法としては、他に特開平１０−２５３４８８号公報、特開平１１−３７８８７号公報、特開平１１−３７８８５号公報などを挙げることができる。
漏水が検知され、かつ漏水箇所が特定された場合には、ショベルなどの掘削重機を用いて当該漏水箇所を掘削してその補修が成される。
【０００５】
【発明が解決しようとする課題】
しかしながら、前記漏水管理システムの漏水箇所特定精度は、電位測定センサー５３，５３…の配置間隔に依存し、十分な特定精度が得られないなどの問題があった。すなわち、センサー５３，５３…設置部位での電位差は測定できるが、センサ５３，５３の間の電位差は測定することができない。その結果、漏水箇所の判断は、センサー５３，５３…配置間隔の中心からどちら側に漏水箇所が存在するかまでであり（センサ設置点より周囲にセンサー配置間隔の１／２距離まで）、これ以上の絞り込みは困難である。実際に設置されているほとんどの漏水管理システムでは、図１１に示されるように、初期投資が嵩むのを抑えるとともに、測定および解析の煩雑さを解消するために、電位測定センサー５３，５３…の配置間隔は約１０ｍ前後としており、漏水箇所の特定範囲は１０ｍ×１０ｍ（斜線部分）となるため、補修に当たっての掘削量が多くなり、補修に手間と時間が掛かるなどの問題があった。
【０００６】
また、埋設設置される前記電位測定センサーの寿命は１０〜３０年であり、この期間経過後は、漏水検知の精度が保証されず、また測定が困難となる場合があるなど永続性の点で問題があった。さらに、投棄される廃棄物は種々雑多であり、廃棄物の導電性の違いにより漏水が生じていない場合でも自然に電位差が生じている（以下、自然電位という。）とともに、経時的に電位差が変化している状況下にあり、この自然電位によって測定精度の低下や検知誤認が生じることがあった。
【０００７】
他方、新設される最終処分場では、建設時に前記漏水管理システムを導入できるけれども、漏水管理システムが設備されていない既設の最終処分場では、新たに導入するにはその経済的負担が甚大となり、現実的には困難なものとなっている。しかし、平成１０年６月に「一般廃棄物の最終処分場及び産業廃棄物の最終処分場に係る技術上の基準を定める命令の一部を改正する命令」（総理府、厚生省の共同命令）が施行され、既存の最終処分場でも漏水管理の適正化が迫られている実状にある。
【０００８】
そこで本発明の主たる課題は、最終処分場となる遮水構造物からの漏水検知および漏水箇所の特定を、新設構造物はもちろん、漏水検知システムを有しない既設構造物でも簡便に行えるようにするとともに、漏水箇所の絞り込みが任意の精度で行えるようにした遮水構造物における漏水箇所の検知・特定方法およびそのための漏水検知・特定装置を提供することにある。
【０００９】
【課題を解決するための手段】
前記課題を解決するための本第１発明は、電気絶縁性の遮水体によって周囲と遮断された遮水構造物からの漏水を検知するとともに、漏水箇所を特定するための方法であって、
前記遮水構造物の内側エリアに内部側電流電極を設置するとともに、前記遮水構造物の外側エリアに外部側電流電極を設置し、かつこれら内部側電流電極と外部側電流電極とを定電圧発生装置に接続する準備手順と、
前記定電圧発生装置により前記内部側電流電極と外部側電流電極とに印加した状態下で、平面的に前記遮水構造物によって囲まれたほぼ全エリアを計測対象エリアとして少なくとも周囲複数点を含む電位計測点を設定し、これら電位計測点に挿入型電位センサーを設置して電位差測定を行う漏水検知手順と、
前記漏水検知手順によって漏水が検知されたならば、平面的に前記遮水構造物によって囲まれたほぼ全エリアを計測対象エリアとして少なくとも周囲複数点および略中央点を含み格子状に電位計測点を設定し、これら電位計測点に挿入型電位センサーを設置して電位差測定を行い、漏水発生箇所の絞り込みを行う１次的絞り込み手順と、
前記１次的絞り込み手順によって絞り込まれた漏水発生箇所を計測対象エリアとして格子状に電位計測点を設定し、これら電位計測点に挿入型電位センサーを設置して電位差測定を行い漏水発生箇所の絞り込みを行うとともに、所要の特定精度に達するまで、絞り込まれた漏水発生箇所を計測対象エリアとして格子状に電位計測点を設定し、これら電位計測点に挿入型電位センサーを設置して電位差測定を行い、漏水発生箇所の段階的絞り込みを行う段階的絞り込み手順と、からなることを特徴とするものである。この場合、前記漏水検知手順と、１次的絞り込み手順とを同時に行うようにしてもよい。
【００１０】
また、第２発明は、電気絶縁性の遮水体によって周囲と遮断された遮水構造物からの漏水を検知するとともに、漏水箇所を特定するための方法であって、
前記遮水構造物の内側エリアに内部側電流電極を設置するとともに、前記遮水構造物の外側エリアに外部側電流電極を設置し、かつこれら内部側電流電極と外部側電流電極とを定電圧発生装置に接続する準備手順と、
前記定電圧発生装置により前記内部側電流電極と外部側電流電極とに印加した状態下で、平面的に前記遮水構造物によって囲まれたほぼ全エリアを計測対象エリアとして少なくとも周囲複数点を含む電位計測点を設定し、これら電位計測点に挿入型電位センサーを設置して電位測定を行う漏水検知手順と、
前記漏水検知手順によって漏水が検知されたならば、少なくとも１方向の計測ラインに沿って、順次隣接する前側電位差計測点と後側電位差計測点との電位差測定を行い、前記計測ライン上において電位の正負が反転する電位変曲点を探索する漏水箇所の１次的絞り込み手順と、
前記１次的絞り込み手順によって絞り込まれた電位反極点を含む区間を計測対象として前記計測ラインと同方向の計測ラインに沿って順次、隣接する前側電位差計測点と後側電位差計測点との電位差測定を行い、計測ライン上において電位変曲点の絞り込みを行うとともに、所要の特定精度に達するまで、絞り込まれた電位反極点を含む区間を計測対象として前記計測ラインと同方向の計測ラインに沿って順次、隣接する前側電位差計測点と後側電位差計測点との電位差測定を行い、計測ライン上において電位変曲点の段階的絞り込みを行う段階的絞り込み手順と、
所要の特定精度まで計測ライン方向の電位変曲点が絞り込まれたならば、この電位反極点を通りかつ前記計測ラインに直交する方向の第２計測ラインに沿って順次、隣接する前側電位差計測点と後側電位差計測点との電位差測定を行い、前記第２計測ラインにおいて電位変曲点を探索し、最大電位点を見つける漏水発生箇所の最終絞り込み手順と、からなることを特徴とするものである。
【００１１】
これら第１発明および第２発明において、前記定電圧発生装置による印加は、直流電流または交替直流電流により行うことが望ましい。直流電流を用いる解析が容易となり、また交替直流電流を用いると、所謂分極現象による測定精度低下を防止できる。
【００１２】
また、給電と非給電とを繰り返すオンオフパターンで発生させ、前記給電時に計測した電位差のピーク値と、非給電時に計測した電位差の定常値との差をもって、計測電位差とするのが望ましい。これにより、廃棄物中に自然に発生している自然電位を相殺しながら電位差を計測できるようになる。
【００１３】
前記挿入型電位センサーとしては、たとえば棒状体の先端部に電位センサーを備えるとともに、先端を槍状に加工し、廃棄物中に貫入によって設置した電位センサーまたは保護管を廃棄物中に挿入設置し、この保護管内に落し込みによって設置した電位センサーなどを用いることができる。
【００１４】
他方、漏水検知・特定装置は、直流電流または交替直流電流を発生するとともに、給電と非給電とを繰り返すオンオフパターンで定電圧を発生させ得る定電圧発生装置と、廃棄物中の任意の位置に設置し得る挿入型電位センサーと、この挿入型電位センサーに接続され、電位センサー制御を行うとともに、電位計測信号の記憶部を備える電位計測装置と、前記電位計測装置の記憶部から電位計測信号を取り出し、解析および画像処理を行うコンピューターと、からなることを特徴とするものである。
【００１５】
【発明の実施の形態】
以下、本発明の実施の形態について図面を参照しながら詳述する。
図１は電位センサー設置位置を示す廃棄物処分場１の平面図、図２は本発明に係る漏水検知要領を示す廃棄物処分場１の処分場縦断面図である。また、図３は本発明に係る漏水箇所特定要領を示す処分場縦断面図である。
【００１６】
廃棄物処分場１は、地盤を根切りして掘り下げた後、掘り下げ凹部の全面に亘って絶縁性の遮水シート２、たとえば合成樹脂または天然または合成ゴムなどからなるシート材を敷設して構築される。かかる廃棄物処分場１は、前述した漏水管理システムが設けられていない既存の廃棄物処分場である。
【００１７】
本漏水検知・特定方法では、処分場内の廃棄物や土砂等の状態に応じて、槍状に加工した電位測定センサーを廃棄物中に貫入して設置するか、ボーリングマシン等により遮水シート２の近傍まで削孔を行い、必要に応じて前記削孔に孔壁の崩壊を防止するために塩ビパイプまたは鋼管パイプ等の保護管を挿入設置し、電位測定センサーを落し込みによって設置する方法などが採られる。前者の方法は主に埋め立て深さが浅い場合や軟弱で前記槍状電位測定センサーの貫入が容易な場合に採用され、後者の方法は主に埋め立て深さが深い場合や埋立て地盤が硬く前記槍状電位測定センサーの貫入が困難な場合に採用される（以下、これらを纏めて挿入型電位センサー６という）。なお、後者の保護管を用いる方法の場合には、保護管内を泥水等で満たし電流が流れ易くし、電位測定精度の安定化を図るようにするのが望ましい。図２以降に示される例は、前記保護管を用いる後者の例を図示している。
【００１８】
図２に示される漏水検知要領を参照しながら本発明に係る電位差計測方法を説明すると、前記遮水シート２によって囲まれた内部に内部側電流電極３を設置するとともに、遮水シート２の外側領域に外部側電流電極４を設置し、これら電流電極３，４を電流発生装置５に接続する。なお、前記内部側電流電極３および外部側電流電極４は電荷が相反しておればよく、どちらが＋側または−側であってもよい。
【００１９】
前記電流発生装置５の電流種別は、通常多用されている交流電流ではなく、直流電流あるいは交替直流電流が用いられ、かつ給電と非給電とを繰り返しながら定電圧を印加できるようにしたものが用いられる。交流電流を用いる場合にはデータの処理量が多くなり解析が複雑化するため、本発明の趣旨からして簡便性の点で直流電流が好適に用いられる。前記交替直流電流は、図６に示されるように、陽極と陰極とをたとえば２〜５秒毎に反転させるものである。電圧印加直後に各電流電極３，４には、電極と相反する電荷のイオンや塩類が吸着され電圧が徐々に降下する、所謂分極現象が発生する。そのため、各電位測定センサーによる電位計測時期にタイムラグがあると、前記電圧降下が測定誤差となって表れるため、前記交替直流電流を印加し、電極の正負を所定時間毎に交互に切り替えし、前記分極現象が顕著になる前に電位差測定を行うようにすることで測定精度向上および安定化を図るようにする。
【００２０】
また、電位差測定に当たっては、給電と非給電とを繰り返すオンオフパターンで発生させた定電圧電流下において、前記給電時に計測した電位差のピーク値と、非給電時に計測した電位差の定常値との差をもって、計測電位差とする。これにより、自然電位を排除して純粋に漏水のみによって発生した電位差を測定することが可能となる。
【００２１】
以下、具体的に作業手順に従いながら漏水検知、漏水箇所特定の順序で説明を行う。
〔漏水箇所の特定方法（第１手法）〕
〔漏水検知方法及び１次的絞り込み手順〕
遮水シート２からの漏水を検知するには、遮水シート２内部に顕著な電位差が生じているか否かの判断で足りるため、電位差測定点数は遮水シート内周囲に必要最小限だけ、たとえば平面的に遮水シート２内部の隅部４点に設置すれば足りるが、この漏水検知と同段階で、おおまかに漏水発生箇所の特定（１次的絞り込み）を行うには、図１に示されるように、隅部４点の他、各辺の中央点を加えた計９点に挿入型電位センサー６，６…を設置する。また、図２に示されるように、前記遮水シート２によって囲まれた内部に内部側電流電極３を設置するとともに、遮水シート２の外側領域に外部側電流電極４を設置し、これら電流電極３，４を電流発生装置５に接続する。これら各挿入型電位センサー６，６…からのリード線は電位計測装置７に接続する。この電位計測装置７は、電位差計測のための電流発生を制御するとともに、挿入型電位センサー６による電位差測定結果を一時的に記憶するデータロガー部を備えており、接続されたポータブルパソコン８によって電位測定結果が読み取られ、計測結果をリアルタイムで画像処理するとともに、解析処理を行う。
【００２２】
なお、漏水検知に関しては、新設遮水構造物では建設時に、たとえば処理場内の四隅等、最小限の埋設型電位センサーを埋設設置しておくようにしてその後に簡単に漏水の有無を検知できるようにしておいてもよい。また、漏水管理システムを有しない既設の遮水構造物では、処理場内の四隅等に保護管を挿入設置しておき、定期的に漏水検知ができるようにしておくとよい。
【００２３】
各挿入型電位センサー６，６…による計測に当たっては、これらの内の１つを基準電極として、または別途設置した同電位点を基準電極として電位差計測を行うことも可能であるが、経時的に変化する処分場内の電位変化を含むものとなるため、好ましくは前記電位計測装置７内のロガー基板など安定した電位を持つものを基準電位としながら計測を行うようにするのが望ましい。
【００２４】
準備作業が完了したならば、電流発生装置５により直流電流あるいは交替直流電流を、給電と非給電とを繰り返しながら印加した状態で前記挿入型電位センサー６，６…による電位差計測を行う。仮に、漏水があると、遮水シート２の漏水箇所から通電し、周辺の場に電位の局部的な変化が生じるため、漏水有無の検知が可能となる。漏水があった場合には、９点設置した挿入型電位センサー６，６…の計測によって解析される等電位線の様子から、漏水箇所が中央部、中央上部、中央下部、右部、右上側、右下側、左部、左上側、左下側であるのか大凡の見当を付ける。
【００２５】
（段階的絞り込み手順）
仮に、前記１次的絞り込み手順によって中央付近に漏水箇所が存在すると予測されたならば、次に中央部分に、図４に示されるように、たとえば１０ｍ間隔で格子状に９点、１６点または２５点等、自乗倍の数の挿入型電位センサー６，６…を設置して各電位差を計測して漏水箇所の２次的絞り込みを行う。その結果、同図に示されるように、１０ｍ間隔で設置された挿入型電位センサー６，６…の内、中央の挿入型電位センサー６１にピーク電位が見られたならば、電位センサーによる特定精度は周囲にセンサ配置間隔の１／２であるから、この挿入型電位センサー６１を中心とする１０ｍ四方範囲に、たとえば２ｍ間隔で格子状に計２５個の挿入型電位センサー６，６…を設置し、各挿入型電位センサー６，６…の電位差を測定する。この電位差計測によって得られるデータを前記ポータブルパソコン８によって解析しモニタに描画される等電位線は、たとえば図５に示すようになり、最も電位の高い斜線エリア若しくはその近傍に漏水箇所が存在しているとして特定される。なお、前述したように、漏水箇所の特定精度は、センサー配置間隔の１／２であるため、実際には前記斜線エリア中心近傍から周囲に１ｍの範囲が漏水箇所として特定される。なお、絞り込み段階数は、多いと計測手間が掛かるため２〜４段階程度とするのが望ましい。
【００２６】
〔漏水箇所の特定方法（第２手法）〕
前記第１態様は言わば、遮水構造物を網羅する大きさから段階毎に漏水箇所を面的に絞り込んで最大電位点を探査する手法であるが、想定した計測ラインに沿って電位差測定を行い、電位の正負が逆転する位置（以下、電位変曲点という。）を見つけることにより、最大電位点を探査することもできる。
【００２７】
具体的には、漏水が検知されたならば、図８に示されるように、基本的には２本の挿入型電位センサー６，６を用い、比較的大きな間隔、たとえば１０ｍ間隔で電位測定位置を設定した一定方向たとえばＸ軸方向計測ライン１０に沿って順次、隣接する前側位置と後側位置とを一組として挿入型電位センサー６Ｆ，６Ｂを設置し、相対的に前側の電位が大きい場合には正（＋）、相対的に後側の電位が大きい場合には負（−）と判断し、電位の正負が反転する電位変曲点Ｓを見つける。ここまでの作業によって、前記電位変曲点ＳからＸ軸方向に左右それぞれセンサ配置間隔１／２の寸法内、すなわち±５ｍの帯範囲１１（斜線部分）に漏水箇所が存在することが判明する。なお、前記挿入型電位センサー６，６…は、その都度毎に設置するのではなく、電位計測点のすべて、またはある程度の範囲に亘って予め設置しておくようにしてもよい。
【００２８】
次に、前記斜線部分を測定対象（幅１０ｍの区間）として、図９に示されるように、たとえば２ｍ間隔で５箇所に電位測定位置を設定し、同様の要領、すなわちＸ軸方向計測ライン１０に沿って順次、隣接する前側位置と後側位置とを一組として挿入型電位センサー６，６を設置し、電位の正負が反転する電位変曲点ＳＥの最終絞り込みを行う。
【００２９】
次に、この前記絞り込み後の電位変曲点ＳＥを通りかつＸ軸方向計測ライン１０に直交するＹ軸方向計測ライン１２に沿って順次、隣接する前側位置と後側位置とを一組として挿入型電位センサー６，６を設置し、電位の正負が反転する電位変曲点を探索することにより、前記Ｘ軸方向計測ライン１０の電位変曲点とＹ軸方向計測ライン１２の電位変曲点との交点が最大電位点となり、この交点を中心とする２ｍ四方の範囲に漏水箇所が存在するとして特定される。
【００３０】
【発明の効果】
以上詳説のとおり本発明によれば、最終処分場となる遮水構造物からの漏水検知および漏水箇所の特定を、新設構造物はもちろん、漏水検知システムを有しない既設構造物でも簡便に行えるようにするとともに、漏水箇所の絞り込みが任意の精度で行えるようになる。
【図面の簡単な説明】
【図１】  挿入型電位センサー設置位置を示す廃棄物処分場平面図である。
【図２】  本発明に係る漏水検知要領を示す縦断面図である。
【図３】  本発明に係る漏水箇所特定要領を示す縦断面図である。
【図４】  その平面図である。
【図５】  最終絞り込み後にコンピューター処理による等電位線図である。
【図６】  交替直流電流の模式図である。
【図７】  給電と非給電とを繰り返しながら行う電位差計測要領を示す図である。
【図８】  漏水箇所特定の第２手法による絞り込み要領（その１）である。
【図９】  漏水箇所特定の第２手法による絞り込み要領（その２）である。
【図１０】  従来の漏水管理システムを示す処分場縦断面図である。
【図１１】  上記漏水管理システムによる漏水箇所特定領域を示す模式図である。
【符号の説明】
１…廃棄物処分場、２…遮水シート、３…内部側電流電極、４…外部側電流電極、５…電流発生装置、６…挿入型電位センサー、７…電位計測装置、８…ポータブルパソコン
【図１】
0004442993.tif 000002
【図２】
0004442993.tif 000003
【図３】
0004442993.tif 000004
【図４】
0004442993.tif 000005
【図５】
0004442993.tif 000006
【図６】
0004442993.tif 000007
【図７】
0004442993.tif 000008
【図８】
0004442993.tif 000009
【図９】
0004442993.tif 000010
【図１０】
0004442993.tif 000011
【図１１】
0004442993.tif 000012